(57)【特許請求の範囲】
【請求項１】
足への着用時に前後に長い履き口を形成させて当該履き口で足首を通すと共につま先以外の足甲を露出させるフットカバーにおいて、
前記履き口を形成するためのエンドレスの口ゴム部（２）と、
この口ゴム部（２）の前半周部からつま先を足甲側から足裏側へと包み込んで土踏まずを下から覆うように編成された前部袋体（３）と、
前記前部袋体（３）の編み終わり位置と前記口ゴム部（２）の後半周部とにわたるリング状の領域を編成開始位置としてシリンダの全周回転編みを行うことにより編成されたエンドレス帯（６）と、
前記エンドレス帯（６）の踵側へ向けた編み終わり位置を編成開始位置として踵を包み込みながら当該踵の上部にて前記エンドレス帯（６）における上方側の後方周部との間にフットカバーを完成させるための連結部（４）を形成するように編成された後部袋体（５）とを有し、
前記前部袋体（３）は、
口ゴム部（２）の前半周部に対して編成を開始する位置でのシリンダ振り幅が１８０°以上となるようにして半回転往復編みを行うことにより編成された甲面覆い部（１１）と、
この甲面覆い部（１１）から半回転往復編みを行うことにより編成されたつま先覆い部（１２）と、
このつま先覆い部（１２）に続き前記甲面覆い部（１１）における左右両側縁の相互間を編み繋ぐように半回転往復編みを行うことにより甲面覆い部（１１）との接合間に大ゴアライン（２０）を生じさせて編成された足底覆い部（１３）とを有している
ことを特徴とするフットカバー。
【請求項２】
前記連結部（４）がリンキングにより縫合されていることを特徴とする請求項１記載のフットカバー。
【請求項３】
前記エンドレス帯（６）は、エンドレス形体を縮径させる方向で緊締力を生じる編生地として形成されていることを特徴とする請求項１又は請求項２記載のフットカバー。
【請求項４】
前記前部袋体（３）の足底覆い部（１３）は、コース数の増加にしたがってシリンダ振り幅を徐々に拡大させるように半回転往復編みを行って編成されていることを特徴とする請求項１乃至請求項３のいずれか１項に記載されたフットカバー。
【請求項５】
前記前部袋体（３）には大ゴアライン（２０）が唯一のゴアラインとして生じていることを特徴とする請求項１乃至請求項４のいずれか１項に記載のフットカバー。
【請求項６】
足への着用時に前後に長い履き口を形成させて当該履き口で足首を通すと共につま先以外の足甲を露出させるフットカバーを編成する方法において、
シリンダの全周回転により前記履き口を形成するためのエンドレスの口ゴム部（２）を編成し、
この口ゴム部（２）の前半周部に対し振り幅が１８０°以上となるようにしてシリンダを半回転往復させつつつま先を足甲側から足裏側へと包み込み土踏まずへ及ぶ前部袋体（３）を編成し、
前記前部袋体（３）の編み終わり位置と前記口ゴム部（２）の後半周部とにわたるリング状の領域を編成開始位置としてシリンダの全周回転編みを行うことによりエンドレス帯（６）を編成し、
前記エンドレス帯（６）の踵側へ向けた編み終わり位置を編成開始位置としてシリンダの半回転往復を行って踵を包み込みながら当該踵の上部にて前記エンドレス帯（６）における上方側の後方周部との間にフットカバーを完成させるための連結部（４）を形成するようにして後部袋体（５）を編成する
ことを特徴とするフットカバーの編成方法。
【発明の詳細な説明】
【技術分野】
【０００１】
本発明は、フットカバー及びその編成方法に関するものである。
【背景技術】
【０００２】
図６に示すように、ハイヒールやパンプスなど、足の甲側が多く露出するような靴１００を履いたときでも、靴擦れや汗蒸れなどを防止したり冷えへの対策をしたりするために、靴下を履きたいという希望はある。このような希望を叶えるため、靴１００からのはみ出しを可及的に抑えて外観が悪くならないようにしたフットカバー１０１と呼ばれる短い靴下が提案されている（例えば、特許文献１等参照）。
【０００３】
このようなフットカバー１０１では、口ゴム部（履き口部分）１０２を前後方向に大きく開口させる必要がある。しかし、口ゴム部１０２を大きく開口させるには、つま先の甲側寸法Ｘを短く形成させる必要があった。また靴１００を脱いだり履いたりするときや歩行時などに、つま先側がずり上がってくる現象（矢符Ｙ参照）や、踵側が靴内へずり落ちる現象などを防止するため、つま先側では前方への緊締力Ｗを強くしたり、踵側では後方への膨らみＺを深くしたりすることが要請されていた。
【０００４】
ところで、フットカバー１０１には、着用状態のときだけでなく、包装状態のとき、及び包装から出した後の使用前状態（非使用時）のときを合わせた三つの状態のときに、それぞれの外形状に関して、異なった要請がされている。
すなわち、着用状態に関しては、前記したように靴１００からはみ出さないこと（歩行時などにおけるつま先側のずり上がり及び踵側のずり下がりを含む）が重要とされている。
【０００５】
これに対し、包装状態に関しては、着用時において靴１００からのはみ出しが無いものであること、履きやすいものであること等を、看者（購入者）に対して容易に連想させ、商品価値をアピールできる形状であることが好ましいものとされる。そのうえで、見栄えがよいこと（スッキリした外観であること）が、殊に好ましいとされる。
また使用前状態に関しては、実際に履きやすいことが要求される。また洗濯を終えて干しているときやタンスの引き出しに収納したときの姿として、平坦になること（丸まるこ
とを原因として表裏方向に嵩張らないこと）が重要とされる。
【先行技術文献】
【特許文献】
【０００６】
【特許文献１】特開２００８−２６１０７９号公報
【発明の概要】
【発明が解決しようとする課題】
【０００７】
この種のフットカバー１０１を靴下編機（丸編機）によって編成する場合、つま先部や踵部などで外膨れ方向のカーブを形成させるには、カーブの内側に、カーブ半径の中心から径方向外方へ延びるような小さなゴアラインが少なくとも１本、場合によってはＹ字状乃至放射状に複数本現れる。
このような小さなゴアラインは、フットカバー１０１の左右両脇部で前後方向に沿って現れる長いゴアラインから枝分かれするような外観を呈することから、「ヒゲ」等と呼称されることもあるが、本明細書では、以下「小ゴアライン」と言い、主たるゴアラインについては「大ゴアライン」と言って両者を区別することにする。
【０００８】
このような小ゴアラインは、カーブの深みを大きくさせようとすればするほど、多数本が必要となるため、殊に脱げにくさを重視する踵部では、必然的に小ゴアラインの本数が多くなる傾向となる。
しかしながら、小ゴアラインは、設ける本数が多ければ多いほど編生地として丸みを帯びさせてしまう欠点があった。そのため、つま先部と踵部とに小ゴアラインを多く設けたり、或いは口ゴム部１０２の前後方向長さを長くする目的で大ゴアラインの中央部にも小ゴアラインを設けるようなことをすると、足底側がＵ字状に丸まって、つま先部と踵部とが口ゴム部側（上側）を凹形に湾曲させながら異常に接近するような形状となってしまう（前記した特許文献１などでもそのように図示されている）。
【０００９】
このようになると、着用時（足に履くとき）には、いちいち、つま先部と踵部とを相反する方向へ引っ張ってフットカバー１０１の丸みを延ばすようにしながら履くことが必要になり、とても履きにくいということがあった。
また、このように、すぐに丸みを帯びてしまうようなフットカバー１０１では、洗濯後に干すときやタンスの引き出しに収納したりするときに、非常に見栄えの悪いものとなることも欠点の一つになっている。
【００１０】
更に、小ゴアラインは、他の小ゴアラインや大ゴアラインから枝分かれする分岐点に小さな孔が形成されるという構造的で且つ宿命的な、好ましくない特徴がある。この小さな孔は、包装時にフットカバー１０１内へ挿入される型紙により引き延ばされて、より大きな、目立った孔となってしまう。そうでなくても、小ゴアラインが多く設けられることで、商品イメージとしてはスッキリ感が損なわれてしまうということがある。
【００１１】
これらのことから、小ゴアラインはできることならば、減らしたいという要請があったが、前記したように小ゴアラインを減らすことはカーブに深みを与えられないことに繋がり、場合によっては緊締力を強化できないことにも繋がるものであった。それ故、ひいては、つま先側でのずり上がりや踵側でのずり落ちが発生しやすく、甚だしい場合には口ゴム部１０２を前後方向に大きく開口させる作用すらも不十分となって、靴１００からのはみ出しさえ抑えられない等、種々の欠点を招来するといった具合に、二律背反した問題となっていた。
【００１２】
本発明は、上記事情に鑑みてなされたものであって、使用前状態では丸みなどが生じずに履きやすいものとし、また着用状態では靴からのはみ出しを生じずにずり上がりやずり下がり等も防止できるものとし、更に包装状態及び使用前状態のいずれの状態でもスッキリとして平坦な外観が得られるようにしたフットカバーと、このフットカバーの編成方法とを提供することを目的とする。
【課題を解決するための手段】
【００１３】
前記目的を達成するために、本発明は次の手段を講じた。
即ち、本発明に係るフットカバーは、足への着用時に前後に長い履き口を形成させて当該履き口で足首を通すと共につま先以外の足甲を露出させるフットカバーであり、前記履
き口を形成するためのエンドレスの口ゴム部と、この口ゴム部の前半周部からつま先を足甲側から足裏側へと包み込んで土踏まずを下から覆うように編成された前部袋体と、前記前部袋体の編み終わり位置と前記口ゴム部の後半周部とにわたるリング状の領域を編成開始位置としてシリンダの全周回転編みを行うことにより編成されたエンドレス帯と、前記エンドレス帯の踵側へ向けた編み終わり位置を編成開始位置として踵を包み込みながら当該踵の上部にて前記エンドレス帯における上方側の後方周部との間にフットカバーを完成させるための連結部を形成するように編成された後部袋体とを有している。
【００１４】
そして、前記前部袋体は、口ゴム部の前半周部に対して編成を開始する位置でのシリンダ振り幅が１８０°以上となるようにして半回転往復編みを行うことにより編成された甲面覆い部と、この甲面覆い部から半回転往復編みを行うことにより編成されたつま先覆い部と、このつま先覆い部に続き前記甲面覆い部における左右両側縁の相互間を編み繋ぐように半回転往復編みを行うことにより甲面覆い部との接合間に大ゴアラインを生じさせて編成された足底覆い部とを有した構成である。
【００１５】
ここにおいて「シリンダ振り幅」とは、靴下編機（丸編機）において、そのシリンダをおおよそ半回転づつ正回転と逆回転とに交互に切り替えながら編む編み方（以下「半回転往復編み」と言う）をさせるとき、実際に生地が編成される周方向領域を言うものとする。
なお、シリンダ振り幅を大きくしたり小さくしたりする方法には、基本的に、シリンダの回転角度を操作する方法と、編成動作する有効針（休止させない編成針）の本数（配置領域）を操作する方法との二通りの方法がある。
【００１６】
シリンダの回転角度を操作する方法では、有効針の本数をシリンダの回転角度に一致させつつシリンダの回転角度を変化させるようにするので、「シリンダ振り幅が１８０°以上となる」ということは、シリンダを半回転又はそれより大きく回転させることを指すことになる。
これに対して有効針の本数を操作する方法では、シリンダの回転角度を一定にしつつ有効針の本数を増減させるようにするので、「シリンダ振り幅が１８０°以上となる」ということは、シリンダを１８０°以上の回転角度にさせながら、そのなかの１８０°領域又はそれより広い領域を有効針にさせることを指すことになる。
【００１７】
これらの説明から明かなように、前部袋体の甲面覆い部が、１８０°以上のシリンダ振り幅による半回転往復編みで編成されている（即ち、口ゴム部の周方向全長のうちその半周又はそれを超える範囲から甲面覆い部が設けられている）ということは、この甲面覆い部の口ゴム部に近い部分は、少なくとも口ゴム部の前後方向中央部まで及んでいるということである。
【００１８】
そのためこのフットカバーを着用すると、前部袋体の甲面覆い部には、そのつま先側を口ゴム部の前後方向中央部へ向けて引き込むような緊締作用が強く現れることになる。なぜなら、この緊締作用は、口ゴム部に近ければ近いほど（上位側となればなるほど、また口ゴム部の前後方向中央部に近接するか又はそれより後方側となればなるほど）、編生地としてのコース方向（編成糸がループを形成している方向）で発生するからである。
【００１９】
このように前部袋体の甲面覆い部において、口ゴム部に近い位置で強い緊締作用が生じると、着用時には、該当部分で皺やだぶつき等が起こるのを抑えて足の甲へのフィット性を高めることができることになる。その結果、口ゴム部はその開口形状として前後方向長さを大きく形成させることができるようになる。
従って、本発明に係るフットカバーでは、口ゴム部を前後方向に長く開口させる状態を保持でき、その着用状態として靴からのはみ出しを可及的に抑えることができるようになる。また、前部袋体、殊に甲面覆い部がずり上がるようになるのを防止できる。ここにおいて、前部袋体に小ゴアラインを数多く形成させる必要はなく、小ゴアラインの形成本数を可及的に減らすことが可能となっている。
【００２０】
前部袋体を編成するに際し、口ゴム部の前半周部に対して編成を開始する位置でのシリンダ振り幅が１８０°以上でないと、前記作用効果は十分に得られないものである。
一方、本発明に係るフットカバーでは、口ゴム部、前部袋体、エンドレス帯、後部袋体
をこの順番で編成するものであり、後部袋体を編成後に、口ゴム部の後半周部と後部袋体の連結部（編み終わり部分）とを縫合してフットカバーを完成させるものである。
【００２１】
このようなことから、踵を包み込むための後部袋体として、小ゴアラインの形成本数を可及的に減らしたとしても、深みのある外膨れカーブを付与させることができる。そのため、着用状態において踵側のずり落ちを抑えることが可能となる利点に繋がっている。
前記したように、前部袋体及び後部袋体において小ゴアラインの形成本数を可及的に減らすことが可能であるため、使用前状態では丸みなどが生じずに履きやすいものとなる。また、包装状態及び使用前状態のいずれの状態でも、分岐位置での孔の発生や小ゴアラインの存在自体が原因となる外観の低下を防止できる利点がある。そのため、スッキリとして平坦な外観が得られるものである。
【００２２】
口ゴム部の後半周部と後部袋体との連結部は、リンキングにより縫合するのが好適である。
リンキングは縫合ラインの隆起が小さく且つ目立ちにくいので、この点がロッソなどの他の縫合方法と異なっており、それ故に、リンキングによる縫合を行うことで履き心地が良好になり、外観的な違和感、低級感も払拭できる利点が得られるものとなる。
【００２３】
エンドレス帯は、前部袋体と後部袋体との前後間及び後部袋体と口ゴム部の後半周部との上下間に対し、全周回転編みを行うことにより編成されたものであるため、踵部での深みの調節や足底部の前後方向長さの調節が可能となる。なお、これら踵部の深みと足底部の前後方向長さとの間には、足の適合サイズとの間に密接な相関がある（踵部の深みを大きくする場合には同時に足底の前後方向長さも長くする必要がある、といった具合）ため、エンドレス帯の太さをどの程度にするかの操作は、至極、合理的な操作であると言える。
【００２４】
エンドレス帯は、エンドレス形体を縮径させる方向で緊締力を生じる編生地として形成させるようにしてもよい。「緊締力を生じる編生地」は、例えば、編成糸として緊締力を生起し得るものを使用したり、編組織として緊締力を生起し得る構造にしたりすることで実現可能である。
このようにすると、フィット性を高めたり、場合によってはサポート効果やテーピング効果、ツボ刺激効果などを持たせたりすることができる。また当然に、踵側でのずり落ち防止効果を高めることにも繋がって好適である。
【００２５】
前部袋体の足底覆い部は、コース数の増加にしたがってシリンダ振り幅を徐々に拡大させるように半回転往復編みを行って編成するようにしてもよい。
このようにすることで、使用前状態として、土踏まず部分を直線状に見せかけることができるものであり、外観性に優れたものとなる。
前記前部袋体には、大ゴアラインが唯一のゴアラインとして生じているものとすることもできる。
【００２６】
このようにすると、前部袋体に小ゴアラインが全く存在しなくなるので、「丸みなどの発生防止による履きやすさの効果」をはじめ、「分岐孔や小ゴアライン自体による外観の低下防止の効果」、「スッキリとして平坦な外観が得られる効果」等々が、より一層強く得られるものとなる。
一方、本発明に係るフットカバーの編成方法は、足への着用時に前後に長い履き口を形成させて当該履き口で足首を通すと共につま先以外の足甲を露出させるフットカバーを編成する方法であり、シリンダの全周回転により前記履き口を形成するためのエンドレスの口ゴム部を編成し、この口ゴム部の前半周部に対し振り幅が１８０°以上となるようにしてシリンダを半回転往復させつつつま先を足甲側から足裏側へと包み込み土踏まずへ及ぶ前部袋体を編成し、前記前部袋体の編み終わり位置と前記口ゴム部の後半周部とにわたるリング状の領域を編成開始位置としてシリンダの全周回転編みを行うことによりエンドレス帯を編成し、前記エンドレス帯の踵側へ向けた編み終わり位置を編成開始位置としてシリンダの半回転往復を行って踵を包み込みながら当該踵の上部にて前記エンドレス帯における上方側の後方周部との間にフットカバーを完成させるための連結部を形成するようにして後部袋体を編成する。
【００２７】
このような手順で編成を行うことで、本発明に係るフットカバーを編成することができる。
【発明の効果】
【００２８】
本発明に係るフットカバーは、使用前状態では丸みなどが生じずに履きやすく、また着用状態では靴からのはみ出しを生じずにずり上がりやずり下がり等も防止できるものとなり、更に包装状態及び使用前状態のいずれの状態でもスッキリとして平坦な外観が得られるものであって、また本発明に係るフットカバーの編成方法によりこのフットカバーを編成することができるものである。
【図面の簡単な説明】
【００２９】
【図１】本発明に係るフットカバーの一実施形態を使用前状態にして示した側面図である。
【図２】本発明に係るフットカバーの一実施形態を着用状態にして示した側面図である。
【図３】本発明に係るフットカバーの一実施形態を包装状態にして示した側面図である。
【図４】本発明に係るフットカバーの一実施形態を編成する手順にしたがって分解して示した仮想上の側面図である。
【図５】本発明に係るフットカバーの一実施形態を示した展開図である。
【図６】パンプスなどの靴を履いたときのフットカバーの使用例を示した斜視図である。
【図７】フットカバーの比較例を使用前状態にして示した側面図である。
【図８】フットカバーの比較例を着用状態にして示した側面図である。
【発明を実施するための形態】
【００３０】
以下、本発明の実施の形態を、図面に基づき説明する。
図１乃至図５は、本発明に係るフットカバー１の一実施形態を示したものであって、そのうち図１はフットカバー１の使用前状態（非使用時）であり、図２は着用状態（足に履いたとき）である。また図３は包装状態（型紙Ｔを入れて整形させたとき）の一例である。但し、型紙Ｔの形状は適宜変更可能なものであり、この図３は包装状態を一義的なものとして限定したものではない。なお、包装材自体は省略してある。
【００３１】
このフットカバー１は、履き口を形成するためのエンドレスの口ゴム部２と、この口ゴム部２の前半周部からつま先を足甲側から足裏側へと包み込んで土踏まずを下から覆うように編成された前部袋体３と、この前部袋体３の後端から踵を包み込んで口ゴム部２の後半周部との連結部４を形成するように編成された後部袋体５とを有している。また、前部袋体３と後部袋体５との前後間及び後部袋体５の連結部４と口ゴム部２の後半周部との上下間に設けられたエンドレス帯６を有している。
【００３２】
本実施形態では、口ゴム部２の後半周部に対し、エンドレス帯６を介して後部袋体５の連結部４を連結する部分は、リンキング（かがり縫い）により縫合されたものとしてある。
口ゴム部２は、ゴム糸を使用し、またゴム編みをするなどしてエンドレスを縮径させる方向で緊締力が生じるように編成された部分である。
【００３３】
本実施形態では、口ゴム部２の直下部に対し、口ゴム部２のエンドレス形体に沿わせるようにして編み込み部１０を設けてある。この編み込み部１０は、靴下編機（丸編機）による編成作業上、口ゴム部２から前部袋体３へ編組織を移行させるために必要とされるが、フットカバー１としての構成自体に必要とされるものではない。そのため、外観性などの観点からは可及的に細くさせるのが好ましく、本実施形態では２コースだけに抑えてある。
【００３４】
前部袋体３は、甲面覆い部１１と、つま先覆い部１２と、足底覆い部１３とを有している。
甲面覆い部１１は、図２に示すように着用時につま先の足甲側（上面）を覆う部分に相当する。この甲面覆い部１１は、口ゴム部２（編み込み部１０）の前半周部に対し、シリ
ンダ振り幅が１８０°以上となるようにして編成を開始し、以後、半回転往復編みを行うことにより編成してある。
【００３５】
すなわち、口ゴム部２の周方向全長のうち、その半周又はそれを超える範囲から甲面覆い部１１が設けられている。そのため、甲面覆い部１１の口ゴム部２に近い部分は、少なくとも口ゴム部２の前後方向中央部まで及んでいることになる。
つま先覆い部１２は、図２に示すように着用時につま先の先端側（前面）を覆う部分に相当する。このつま先覆い部１２を編成するには、甲面覆い部１１からシリンダ振り幅を適宜調整しつつ半回転往復編みを行うようにする（図５参照）。シリンダ振り幅の調整に際して、当該シリンダ振り幅の拡大及び縮小を交互に行うようにした場合には、つま先の左右両脇に小ゴアライン１７，１８，１９などが生じるようになる。
【００３６】
図２に示すように、小ゴアライン１７は、着用時にはつま先の根本（親指及び小指の付け根の左右両外側あたり）から足爪の先端へ向けて斜め上方へカーブカーブするように引き延ばされる。また小ゴアライン１８は、つま先の根本からつま先の先端下面（親指及び小指の腹面あたり）へ向けて斜め下方へカーブするように引き延ばされる。
更に小ゴアライン１９は、つま先の根本まわり（親指及び小指の付け根の下面）を通って足裏側へ巻き込むように引き延ばされる。これらの総合作用として、小ゴアライン１７，１８の相互間となる領域が、ちょうど、つま先（足指の並び）を左右両側から中央へ向けて包み込むような引張作用を生じることになる。
【００３７】
また、斜め上方へ延びる小ゴアライン１７は、甲面覆い部１１にできる凸湾曲面とつま先覆い部１２にできる凸曲面とを区画して、それぞれの引張作用を釣り合わせる境界線（見切り線）となり、斜め下方へ延びる小ゴアライン１８は、つま先覆い部１２にできる凸曲面と足底覆い部１３にできる凸湾曲面とを区画して、それぞれの引張作用を釣り合わせる境界線（見切り線）となるような作用をも奏する。
【００３８】
更に小ゴアライン１９については、つま先覆い部１２から足底覆い部１３への繋ぎ部分で余分な弛みが生じるのを防止しつつ、足指の曲がりに柔軟に追従させるような適度な引張作用を生じることになる。
なお、これら小ゴアライン１７，１８，１９については、その配置や指向の向き、長さ、形成本数などが限定されるものではない。目立たない範囲であれば形成本数を増やしてもよいし、目立つようなら減らしてもよい（殊に図示したなかで最も後位置となる小ゴアライン１９等は省略してもよい）。場合によっては皆無にすることも可能である。
【００３９】
足底覆い部１３は、図２に示すように着用時につま先の足裏側（下面）を覆う部分に相当する。この足底覆い部１３を編成するには、つま先覆い部１２に続き、甲面覆い部１１における左右両側縁の相互間を編み繋ぐように、半回転往復編みを行う（図５参照）。
このとき、コース数が増加するにしたがって（足裏の後方となるほど）、シリンダ振り幅を徐々に拡大させるようにする。これにより、使用前状態（図１参照）として、土踏まず部分を直線状に見せかけることができる。
【００４０】
このようにして足底覆い部１３を編成することで前部袋体３が形成されることになり、これによって前部袋体３には、甲面覆い部１１と足底覆い部１３との接合間に大ゴアライン２０が生じることになる。
エンドレス帯６は、エンドレスのリング形体を呈するようになったもので、その約半周が、前部袋体３と後部袋体５との前後間に挟まるように配置され、また残り約半周が、後部袋体５の連結部４と口ゴム部２の後半周部との上下間に挟まれるように配置される。このエンドレス帯６を編成するには、シリンダの全周回転編みを行うようにする（図４及び図５参照）。
【００４１】
このエンドレス帯６のコース数を多く編めば、帯幅が広くなり、前部袋体３と後部袋体５との間をそれだけ離反させることができる。すなわち、フットカバー１として、踵部の深みが大きくなり、同時に足底の前後方向長さも長くなる。
反対に、エンドレス帯６のコース数を少なく編めば、帯幅が狭くなり、前部袋体３と後部袋体５との間をそれだけ接近させることができる。すなわち、フットカバー１として、踵部の深みが浅くなり、同時に足底の前後方向長さも短くなる。
【００４２】
このようにエンドレス帯６の編成の程度により、フットカバー１としての踵部での深みの調節や足底部の前後方向長さの調節が可能となる。
後部袋体５を編成するには、エンドレス帯６からシリンダ振り幅の拡大及び縮小を交互に行う半回転往復編みを行うようにする（図５参照）。これに伴い、踵の左右両脇には、大ゴアライン２０とは別個独立した配置の（即ち、大ゴアライン２０から分岐したものではない）小ゴアライン２５が生じるようになる。
【００４３】
この小ゴアライン２５は、図２に示すように、着用時には踵の前方（土踏まず後部の左右両外側あたり）から踵の膨らみに沿ってその下部へ潜り込むように引き延ばされる。そのため、この小ゴアライン２５から後部袋体５の後縁に形成される連結部４までの間の領域が、ちょうど踵を包み込んで吊り上げるような引張作用を生じることになる。
なお、この小ゴアライン２５についても、その配置や指向の向き、長さ、形成本数などが限定されるものではない。目立たない範囲であれば形成本数を増やしてもよいし、目立つようなら減らしても、また場合によっては皆無にしてもよい。
【００４４】
このようなフットカバー１を編成するには次のようにする。すなわち、まず靴下編機におけるシリンダの全周回転により、エンドレスの口ゴム部２及び編み込み部１０を編成する（図４及び図５の上部に示すリング部分の編成）。
次に、この口ゴム部２（編み込み部１０）の前半周部に対し、振り幅が１８０°以上となるようにしてシリンダを半回転往復させつつ、つま先を足甲側から足裏側へと包み込み、更に土踏まずへ及ぶように前部袋体３を編成する（図４及び図５のＡ〜Ｊの部分）。
【００４５】
この前部袋体３の編成中、シリンダの振り幅を交互に拡大させたり縮小させたりすることで、甲面覆い部１１、つま先覆い部１２、足底覆い部１３のそれぞれに小ゴアライン１７（図４及び図５のＢ−Ｃ−Ｄ）、小ゴアライン１８（図４及び図５のＤ−Ｅ−Ｆ）及び小ゴアライン１９（図４及び図５のＧ−Ｈ−Ｉ）を生じさせる。
この前部袋体３において、足底覆い部１３を編成する場合は、前記したように甲面覆い部１１における左右両側縁の相互間を編み繋ぐようにするので、甲面覆い部１１と足底覆い部１３との接合間に大ゴアライン２０が生じることになる（図４及び図５のＩ−Ｊ）。
【００４６】
次に、前部袋体３の編み終わり位置から口ゴム部２の後半周部にわたるリング状の領域を含め、これらを編成開始位置としてシリンダの全周回転を行ってエンドレス帯６を編成する（図５のＪ−Ｋ）。エンドレス帯６のコース数（帯幅）は、編成しようとするフットカバー１のサイズに合わせて適宜調節する。
エンドレス帯６の編成後は、再びシリンダの半回転往復を行うことで、踵を包み込み、且つ口ゴム部２の後半周部との連結部４を形成させるようにして、後部袋体５を編成する。この後部袋体５の編成中、シリンダの振り幅を拡大させたり縮小させたりすることで、小ゴアライン２５（図４及び図５のＫ−Ｌ−Ｍ）を生じさせる。
【００４７】
次に、編成完了後の編生地を靴下編機から取り外し、後部袋体５の連結部４とエンドレス帯６の約半周分とを、リンキングマシン又は手作業によりリンキングで縫合する。これにより本発明に係るフットカバー１を完成させることができる。
以上説明したところから明かなように、本発明に係るフットカバー１は、前部袋体３の甲面覆い部１１が、１８０°以上のシリンダ振り幅による半回転往復編みで編成されており、これによって口ゴム部２の周方向全長のうち、その半周又はそれを超える範囲から甲面覆い部１１が設けられたものとなっている。
【００４８】
そのため、甲面覆い部１１の口ゴム部２に近い部分は、少なくとも口ゴム部２の前後方向中央部まで及んでいる。従って、図２に示すように、このフットカバー１を着用すると、前部袋体３の甲面覆い部１１で、つま先側を口ゴム部２の前後方向中央部へ向けて引き込むような緊締作用Ｐが強く現れることになる。
なぜなら、この緊締作用Ｐは、口ゴム部２に近ければ近いほど（上位側となればなるほど、また口ゴム部２の前後方向中央部に近接するか又はそれより後方側となればなるほど）、編生地としてのコース方向（編成糸がループを形成している方向）で発生するからである（なお、図４参照）。
【００４９】
図７及び図８は、比較例のフットカバー（以下、「比較カバー」と言う）１２０を示し
たもので、前部袋体１２１の甲面覆い部１２２は、１８０°に満たないシリンダ振り幅による半回転往復編みで編成されている。すなわち、口ゴム部１２３の周方向全長のうち、その半周に満たない範囲のみで甲面覆い部１２２が設けられている。
更に言えば、甲面覆い部１２２の口ゴム部１２３に近い部分は、口ゴム部２の前部にしか面していないため、図８に示すようにこの比較カバー１２０を着用しても、甲面覆い部１２２と足底覆い部１２４とが引き合うような緊締作用Ｑしか生じないのである。
【００５０】
結果として、つま先側を口ゴム部１２３の前後方向中央部へ向けて引き込むような緊締作用Ｐは殆ど得られないことが明かである。このことは、この比較カバー１２０においては口ゴム部１２３を前後方向に長い開口形状のものとして形成できないことの一要因でもあり、靴を履いたときに甲面覆い部１２２が靴から顕著にはみ出して、見栄えの悪いものとなる原因になっていた。
【００５１】
このように、本発明に係るフットカバー１では、前部袋体３の甲面覆い部１１において口ゴム部２に近い位置で強い緊締作用Ｐが得られるので、この緊締作用Ｐが得られる該当部分で皺やだぶつき等が起こらないようになる。
これにより足の甲へのフィット性が高められ、その結果、口ゴム部２は、その開口形状として前後方向長さを大きく形成させることができるようになる。それ故、着用状態として靴からのはみ出しを可及的に抑えることができ、前部袋体３、殊に甲面覆い部１１がずり上がるようになるのを防止できる。
【００５２】
また、本発明に係るフットカバー１では、前部袋体３に生じる小ゴアライン１７〜１９や後部袋体５に生じる小ゴアライン２５の形成本数を可及的に減らすことができるので、使用前状態（図１参照）では丸みなどが生じずに履きやすいものとなり、包装状態（図３参照）及び使用前状態のいずれの状態でも、分岐位置での孔の発生や小ゴアライン１７〜１９，２５の存在自体が原因となる外観の低下を防止できる利点がある。そのため、スッキリとして平坦な外観が得られるものである。
［その他］
本発明は、上記実施形態に限定されるものではなく、実施の形態に応じて適宜変更可能である。
【００５３】
例えば、エンドレス帯６は、エンドレス形体を縮径させる方向で緊締力を生じる編生地として形成させるようにしてもよい。
ここにおいて「緊締力」とは、前部袋体３や後部袋体５が着用に必要な程度に有した緊締力（引っ張り作用）に比べて更に強く（積極的に）生じさせるものを原則として言う。また例外的には、前部袋体３や後部袋体５が着用に必要な程度に有した伸縮性を局部的に抑制させる作用（延びないようにする作用）を言うものとする。
【００５４】
このような緊締力のうち、強い引っ張り作用を生じさせるための編生地としては、例えば、ポリエステル繊維やナイロン繊維等のマルチフィラメント合成繊維等を、芯とする弾性糸にカバーリングした糸、或いはＦＴＹ、ＳＣＹ、ＤＣＹや、綿等の短繊維で被覆されたＣＳＹ、非弾性糸と弾性糸とを撚糸したものなど、各種の被覆弾性糸を裏目に使うようなプレーティング（添え糸編み）を行うことで実現できる。
【００５５】
その他、編成糸として緊締力を生起し得る編成糸を使用したり、編組織として緊締力を生起し得る構造にしたりすることで実現可能である。
これに対し、伸縮性を局部的に抑制させる（延びないようにする）緊締力を生じさせるためには、例えば、エンドレス帯６に対して樹脂プリントを施すことで実現できる。
これらの方法によりエンドレス帯６に緊締力を生じさせると、フィット性を高めたり、場合によってはサポート効果やテーピング効果、ツボ刺激効果などを持たせたりすることができる。また当然に、踵側でのずり落ち防止効果を高めることにも繋がって好適である。
【００５６】
前部袋体３、後部袋体５及びエンドレス帯６は、平編み、ゴム編み、パール編みのいずれを採用してもよく、これらを単一化させてもよいし部位ごとに複合化させてもよい。また、局部的又は全体的にメッシュを入れたり、その他柄を編み込んだりすることも勿論可能である。
後部袋体５に対し、踵の背側を覆うような位置付けとなる内面部分に滑止め加工を施して、一層のずり落ち防止効果を得るようにしてもよい。滑止め加工としては、例えば樹脂ドット（点状の微少な丘を成す突起）を分散配置で設けたり、シート状の適宜滑止め材を縫着や接着などによって付設したりする方法がある。
【符号の説明】
【００５７】
１  フットカバー
２  口ゴム部
３  前部袋体
４  連結部
５  後部袋体
６  エンドレス帯
１１  甲面覆い部
１２  つま先覆い部
１３  足底覆い部
１７〜１９  小ゴアライン
２０  大ゴアライン
【図１】
0005463547.tif 000002
【図２】
0005463547.tif 000003
【図３】
0005463547.tif 000004
【図４】
0005463547.tif 000005
【図５】
0005463547.tif 000006
【図６】
0005463547.tif 000007
【図７】
0005463547.tif 000008
【図８】
0005463547.tif 000009